(57)【要約】  ＨＤＭＩ（登録商標）のＣＥＣのブロードキャスト・メッセージを選択的に遮断する方法および手段は、切断されたＣＥＣラインを除いて、雄型ＨＤＭＩコネクタの接続部を雌型ＨＤＭＩコネクタのそれぞれの接続部に電気的に接続して、パススルー・コネクタを形成することを含む。この方法および手段は、例えば、制御可能な回路基板を介してＣＥＣラインを制御可能に接続および切断することができるようになっている。この回路基板は、ＣＥＣコマンドに応じてそれぞれのＣＥＣラインを制御可能に接続および切断することによって、選択されたＣＥＣコマンドをブロックするようにプログラムすることができる。
2014504085.tif 000002
【特許請求の範囲】
【請求項１】
高精細度マルチメディア・インタフェース（ＨＤＭＩ（登録商標））のコンシューマ・エレクトロニクス・コントロール（ＣＥＣ）のブロードキャスト・メッセージを選択的に遮断する方法であって、
通信が遮断されることになる少なくとも１つのＣＥＣラインを識別するステップと、
ＨＤＭＩのＣＥＣのブロードキャスト・メッセージのソースと受信機との間をつなぐ前記ＣＥＣラインを含む接続手段に装置を挿入するステップであって、該装置が雄型ＨＤＭＩコネクタおよび雌型ＨＤＭＩコネクタを含む、該ステップと、
を含み、
前記雄型ＨＤＭＩコネクタの接続部が前記雌型ＨＤＭＩコネクタの接続部とそれぞれ電気通信してパススルー・コネクタを形成し、ただし、前記雄型ＨＤＭＩコネクタおよび前記雌型ＨＤＭＩコネクタのＣＥＣラインは除かれると共にそれらの雄型ＨＤＭＩコネクタおよび雌型ＨＤＭＩコネクタは接続されない、前記方法。
【請求項２】
前記雄型ＨＤＭＩコネクタおよび前記雌型ＨＤＭＩコネクタの前記ＣＥＣラインを制御可能に接続および切断するステップをさらに含む、請求項１に記載の方法。
【請求項３】
前記ＣＥＣラインが、ＣＥＣコマンドに応じて制御可能に接続および切断される、請求項２に記載の方法。
【請求項４】
前記装置が、それぞれのＣＥＣラインを制御可能に接続および切断することによって、選択されたＣＥＣコマンドをブロックするようにプログラムされた回路基板をさらに含む、請求項１に記載の方法。
【請求項５】
前記雄型ＨＤＭＩコネクタの側および前記雌型ＨＤＭＩコネクタの側の前記それぞれのＣＥＣラインを電気的に分離するステップをさらに含む、請求項１に記載の方法。
【請求項６】
高精細度マルチメディア・インタフェース（ＨＤＭＩ）のコンシューマ・エレクトロニクス・コントロール（ＣＥＣ）のブロードキャスト・メッセージを選択的に遮断する装置であって、
雄型ＨＤＭＩコネクタと、
雌型ＨＤＭＩコネクタと、
を備え、
前記雄型ＨＤＭＩコネクタの接続部が前記雌型ＨＤＭＩコネクタの接続部とそれぞれ電気通信してパススルー・コネクタを形成し、ただし、前記雄型ＨＤＭＩコネクタおよび前記雌型ＨＤＭＩコネクタのＣＥＣラインは除かれると共にそれらの雄型ＨＤＭＩコネクタおよび雌型ＨＤＭＩコネクタは接続されない、前記装置。
【請求項７】
前記それぞれのＣＥＣラインが、前記雄型ＨＤＭＩコネクタの側および前記雌型ＨＤＭＩコネクタの側で電気的に分離される、請求項６に記載の装置。
【請求項８】
前記それぞれのＣＥＣラインが抵抗器で終端される、請求項７に記載の装置。
【請求項９】
前記雄型ＨＤＭＩコネクタおよび前記雌型ＨＤＭＩの前記ＣＥＣラインを制御可能に接続および切断する回路基板をさらに備える、請求項６に記載の装置。
【請求項１０】
前記装置は少なくとも２つのＨＤＭＩ出力部を含むＨＤＭＩスプリッタに統合され、当該装置が、前記少なくとも２つのＨＤＭＩ出力部のうちの少なくとも１つのＨＤＭＩ出力部のＣＥＣラインを制御可能に接続および切断するように動作可能である、請求項９に記載の装置。
【請求項１１】
高精細度マルチメディア・インタフェース（ＨＤＭＩ）スプリッタであって、
ＨＤＭＩ入力部と、
少なくとも２つのＨＤＭＩ出力部と、
前記少なくとも２つのＨＤＭＩ出力部から通信されるＨＤＭＩのコンシューマ・エレクトロニクス・コントロール（ＣＥＣ）のブロードキャスト・メッセージを選択的に遮断する少なくとも１つの手段と、を備え、
前記少なくとも１つの手段が、
雄型ＨＤＭＩコネクタと、
雌型ＨＤＭＩコネクタと、
前記雄型ＨＤＭＩコネクタの接続部を前記雌型ＨＤＭＩコネクタの接続部にそれぞれ電気的に接続する回路基板であって、該回路基板が前記雄型ＨＤＭＩコネクタおよび前記雌型ＨＤＭＩコネクタのＣＥＣラインを制御可能に接続および切断する、前記回路基板と、を有する、前記ＨＤＭＩスプリッタ。
【請求項１２】
前記それぞれのＣＥＣラインが、前記雄型ＨＤＭＩコネクタの側および前記雌型ＨＤＭＩコネクタの側で電気的に分離される、請求項１１に記載のＨＤＭＩスプリッタ。
【請求項１３】
前記それぞれのＣＥＣラインが抵抗器で終端される、請求項１２に記載のＨＤＭＩスプリッタ。
【請求項１４】
前記ＣＥＣラインがＣＥＣコマンドに応じて制御可能に接続および切断される、請求項１１に記載のＨＤＭＩスプリッタ。
【発明の詳細な説明】
【技術分野】
【０００１】
（関連出願の相互参照）
この特許出願は、２０１０年１２月９日出願の米国仮特許出願第６１／４２１，３９７号の利益および／または優先権を主張するものである。
【０００２】
本発明は、一般に、高精細度マルチメディア・インタフェース（ＨＤＭＩ（登録商標））通信に関し、より詳細には、ＨＤＭＩのコンシューマ・エレクトロニクス・コントロール（Ｃｏｎｓｕｍｅｒ  Ｅｌｅｃｔｒｏｎｉｃｓ  Ｃｏｎｔｒｏｌ（ＣＥＣ））のブロードキャスト・メッセージを遮断する方法および装置に関する。
【背景技術】
【０００３】
ＨＤＭＩは、様々なオーディオ／ビデオ・コンポーネント、特に高精細度ビデオ（ＨＤＴＶ）を接続するために使用されるディジタル・ビデオ／オーディオ接続システムである。ＨＤＭＩは、全てのＨＤＴＶフォーマット（７２０ｐ、１０８０ｉ、１０８０ｐ）に対応し、最大８チャネルのディジタル・オーディオをサポートする。
【０００４】
通常の小売店で販売されるテレビジョンでは、小売業者は、１つのソースからオーディオ信号およびビデオ信号を取り、店内の多くのテレビジョンに分配するために、ＨＤＭＩ分配切替え機器を使用し始めている。しかし、例えば、１つのＴＶのリモート・コントロールを使用して「待機」コマンドを送信すると、店内のＴＶの多くを「待機」（オフ）モードにしてしまうという悪影響が生じる。このようなことが起きるのは、ＨＤＭＩ１．３ａ仕様のセクションＣＥＣ１３．３によれば、システム全体を待機状態にする「システム待機」メッセージがブロードキャストされることがあるからである。必要なら、１つの装置が特定のアドレスに対して直接メッセージを送信することもできるが、この挙動は、特にメーカ依存と呼ばれる。セクション８．７．１には、「ＣＥＣラインは、ネットワーク上の全てのノードに直接接続される」と記載されている。従って、１つのＴＶのリモート・コントロールを使用してそのＴＶを待機状態にすると、ＣＥＣラインを介した「待機」挙動をサポートする店内の全てのＴＶをオフにしてしまう可能性がある。この挙動は、買物客に悪影響を及ぼし、小売業者にとっても余計なコスト増、さらにはテレビジョンの販売数低下につながる可能性があり、また、それらのＴＶのスクリーンに有料広告を表示するようにしている場合には広告の印象低下につながる恐れもある。
【０００５】
現時点での唯一の既知の解決策は、「待機状態」にしたくない店内の全てのＴＶのところまで行って、ＣＥＣコマンドを無視するように手作業で設定することである。この手作業は、展示エリアに置いてある全てのＴＶに対して行わなければならないので、コストが掛かる上、信頼性も低い。
【発明の概要】
【０００６】
本発明の実施形態は、従来技術の欠点に対処するものであり、ＨＤＭＩのＣＥＣのブロードキャスト・メッセージを受信することを意図していないＨＤＭＩ通信ライン上のその他のディスプレイの表示状態に悪影響を及ぼさないように、ＨＤＭＩのＣＥＣのブロードキャスト・メッセージ（および必要に応じてベンダ特有のメッセージ）を遮断する選択的手段を与える方法および装置を提供する。
【０００７】
本発明の一実施形態では、高精細度マルチメディア・インタフェース（ＨＤＭＩ）のコンシューマ・エレクトロニクス・コントロール（ＣＥＣ）のブロードキャスト・メッセージを選択的に遮断する方法は、通信を遮断することになる少なくとも１つのＣＥＣラインを識別することと、ＨＤＭＩのＣＥＣのブロードキャスト・メッセージのソースと遮断することになる前記少なくとも１つのＣＥＣラインが通信している受信側との間に、ＣＥＣライン遮断器を挿入することと、を含む。
【０００８】
本発明の一実施形態では、ＣＥＣライン遮断器は、雄型ＨＤＭＩコネクタおよび雌型ＨＤＭＩコネクタを含み、雄型ＨＤＭＩコネクタの接続部は雌型ＨＤＭＩコネクタのそれぞれの接続部と電気通信してパススルー・コネクタを形成し、ただし、雄型ＨＤＭＩコネクタおよび雌型ＨＤＭＩコネクタのＣＥＣラインは除かれると共にそれらの雄型ＨＤＭＩコネクタおよび雌型ＨＤＭＩコネクタは接続されない。
【０００９】
本発明の代替実施形態では、ＨＤＭＩスプリッタは、ＨＤＭＩ入力部と、少なくとも２つのＨＤＭＩ出力部と、この少なくとも２つのＨＤＭＩ出力部から通信されるＨＤＭＩのＣＥＣのブロードキャスト・メッセージを選択的に遮断する少なくとも１つの手段とを含んでいる。
【００１０】
本発明の一実施形態では、ＨＤＭＩのＣＥＣのブロードキャスト・メッセージを選択的に遮断する手段は、雄型ＨＤＭＩコネクタと、雌型ＨＤＭＩコネクタと、その雄型ＨＤＭＩコネクタおよびその雌型ＨＤＭＩコネクタのＣＥＣラインを制御可能に接続および切断する回路基板とを含む。
【００１１】
本発明の教示は、以下の詳細な説明を添付の図面と関連付けて考慮すれば、容易に理解することができる。
【図面の簡単な説明】
【００１２】
【図１】ＨＤＭＩスプリッタ／スイッチを介してＨＤＭＩ通信を用いてメディア・プレーヤが複数のディスプレイに接続された、従来技術のシステムのハイレベルブロック図である。
【図２】本発明の一実施形態による、ＨＤＭＩスプリッタ／スイッチを介して、且つＣＥＣライン遮断器の一実施形態を含むＨＤＭＩ通信を用いて、メディア・プレーヤが複数のディスプレイに接続された、図１のシステムと同様のシステムの、ハイレベルブロック図である。
【図３】本発明の代替実施形態による、ＨＤＭＩスプリッタ／スイッチを介して、且つＣＥＣライン遮断器の代替実施形態を含むＨＤＭＩ通信を用いて、メディア・プレーヤが複数のディスプレイに接続された、図２のシステムと同様のシステムの、ハイレベルブロック図である。
【図４】本発明の代替実施形態による、ＨＤＭＩスプリッタ／スイッチを介して、且つＣＥＣライン遮断器の代替実施形態を含むＨＤＭＩ通信を用いて、メディア・プレーヤが複数のディスプレイに接続されたシステムのハイレベルブロック図である。
【図５】本発明の一実施形態によるＣＥＣライン遮断器のハイレベルブロック図である。
【図６】本発明の代替実施形態によるＣＥＣライン遮断器のハイレベルブロック図である。
【発明を実施するための形態】
【００１３】
これらの図面は、本発明の概念を説明するためのものであり、必ずしも本発明を説明するための唯一の可能な構成であるわけではないことを理解されたい。理解しやすいように、各図に共通する同一の要素は、可能な限り同一の参照番号を用いて示してある。
【００１４】
本発明は、ＨＤＭＩ  ＣＥＣブロードキャスト・メッセージ（および必要に応じてベンダ特有のメッセージ）を遮断し、ＨＤＭＩ  ＣＥＣブロードキャスト・メッセージを受信することを意図していないＨＤＭＩ通信ライン上のその他のディスプレイの表示状態に悪影響を及ぼさないようにする選択的手段を与える方法および装置を提供するので有利である。本発明について主に小売店の広告ネットワーク環境という状況で説明するが、本発明のこれらの具体的な実施形態は、本発明の範囲を限定するものとして扱うべきものではない。本発明の教示を得た当業者なら、本発明の概念は、ＨＤＭＩ通信を用いた任意の通信またはネットワーク環境に有利に適用することができることを理解するであろう。
【００１５】
図１は、ＨＤＭＩスプリッタ／スイッチを介して且つＨＤＭＩ通信を用いてメディア・プレーヤが複数のディスプレイに接続された、従来技術のシステムのハイレベルブロック図を示す。図１のシステム１００は、例示的に、コンテンツ・ソースとしてのメディア・プレーヤ１１０と、ＨＤＭＩスプリッタ／スイッチ１２０と、４つのディスプレイ（Ａ〜Ｄ）１３０１〜１３０４とを備える。図１のシステム１００では、ＨＤＭＩスプリッタ／スイッチ１２０は、例示的に４つの出力部を備え、各出力部は、それぞれのディスプレイ、例えば小売り広告環境中のディスプレイにつながっている。図１のシステム１００では、リモート・コントロールを用いて例えば第４のディスプレイ（Ｄ）をオフにすると、ＨＤＭＩスプリッタ／スイッチ１２０を介してＨＤＭＩネットワーク全体に「待機」メッセージがブロードキャストされ、その結果、ＨＤＭＩネットワーク上にあるＣＥＣをサポートするその他の全てのディスプレイ（Ａ〜Ｃ）がオフになる。
【００１６】
本発明の様々な実施形態によれば、図１のシステム１００などのＨＤＭＩシステムによってサポートされるディスプレイがこのような予期せぬ制御を受けることを防止するために、本発明の実施形態では、ブロードキャスト・メッセージの宛先ではない特定のディスプレイにつながるＨＤＭＩ通信システムのＣＥＣラインを選択的に遮断する手段を提供する。
【００１７】
例えば、図２は、本発明の一実施形態によるＨＤＭＩスプリッタ／スイッチを介してＣＥＣライン遮断器の一実施形態を含むＨＤＭＩ通信を用いてメディア・プレーヤが複数のディスプレイに接続された、図１のシステムと同様のシステムの、ハイレベルブロック図を示す。本発明の一実施形態によれば、図２のシステム２００は、図２の実施形態では雄型ＨＤＭＩコネクタおよび雌型ＨＤＭＩコネクタを含む、ドングル２４０を含む。図２の実施形態では、ＣＥＣラインを除くＨＤＭＩコネクタ中の全てのワイヤは、雄型から雌型に向かって本発明のドングル２４０をパススルー（ｐａｓｓ  ｔｈｒｏｕｇｈ）している。従って、図２に示すように、第１のディスプレイ１３０１（ディスプレイＡ）につながるＣＥＣラインは、本発明のドングル２４０を用いて遮断されている。本発明の一実施形態では、ドングルの両端部は、このＨＤＭＩラインではＣＥＣが全くサポートされていないかのように、適当な抵抗器（図示せず）で終端される。すなわち、このような実施形態では、ドングル２４０を通るＣＥＣラインは、接続された装置がＣＥＣをサポートしていないと両側の機器が想定するように、各側が電気的に分離される。従って、ＣＥＣコマンドは、ディスプレイ１３０１（ディスプレイＡ）などの装置には到達することができない。
【００１８】
図２のドングル２４０は、いかなる種類のＣＥＣコマンドも、例えば図２のシステム２００の第１のディスプレイ１３０１（ディスプレイＡ）などの所期のディスプレイに接続されたケーブルを伝って伝送されることを防止する。これは、ディスプレイのＣＥＣ機能を手作業で無効にすることの、低コストの代替手段である。すなわち、図２の本発明の実施形態によれば、コンテンツ・ソース１１０と選択されたディスプレイ１３０との間のラインにドングル２４０を接続して、いかなる種類のＣＥＣコマンドもコンテンツ・ソース１１０と選択されたディスプレイ１３０との間に位置するケーブルを伝って伝送されることを防止することができる。
【００１９】
図２ならびに以下の図３および図４の実施形態では、本発明のＣＥＣライン遮断器はドングルとして示しているが、本発明の代替実施形態では、ＣＥＣライン遮断器は、上述のようにＣＥＣラインを除くＨＤＭＩコネクタ中の全てのワイヤが雄型から雌型に向かってパススルー（ｐａｓｓ  ｔｈｒｏｕｇｈ）している雄型ＨＤＭＩコネクタおよび雌型ＨＤＭＩコネクタを有するケーブルを含むことができる。
【００２０】
図３は、本発明の代替実施形態による、ＨＤＭＩスプリッタ／スイッチを介してＣＥＣライン遮断器の代替実施形態を含むＨＤＭＩ通信を用いてメディア・プレーヤが複数のディスプレイに接続された、図２のシステムと同様のシステムのハイレベルブロック図を示す。図３のシステム３００は、小さな回路基板／マイクロコントローラ３５０を介して互いに接続された雄型ＨＤＭＩコネクタおよび雌型ＨＤＭＩコネクタからなる、本発明のドングル３４０の一実施形態を含む。図３のドングル３４０では、ＣＥＣラインを除くＨＤＭＩコネクタ中の全てのワイヤは、雄型から雌型に向かってパススルー（ｐａｓｓ  ｔｈｒｏｕｇｈ）している。ＣＥＣラインは、その両側が遮断され、マイクロコントローラ３５０によって接続されている。本発明の一実施形態では、図３のドングル３４０のマイクロコントローラ３５０は、一部または全てのＣＥＣコマンドを選択的にブロックするように構成されている。例えば、図３のドングル３４０のマイクロコントローラは、ブロードキャスト「待機」メッセージのみをブロックする、または全てのブロードキャスト・メッセージをブロックする、または特定のメッセージ・タイプのみをブロックするように構成することができる。マイクロコントローラの構成は、工場で行ってもよいし、あるいは代替実施形態では、ユーザのところでプログラム・コマンドを用いて、または特殊なＣＥＣメッセージを介して行ってもよい。すなわち、本発明の様々な実施形態では、ユーザが一部のＣＥＣメッセージを選択的にブロックしながら、その他のメッセージを通すことができるように、ドングル３４０はプログラマブルである。
【００２１】
図３の実施形態では、例示的に、ドングル３４０は、第１のディスプレイ１３０１との通信ライン上にあるＨＤＭＩスプリッタ／スイッチ１２０の１つの出力部に位置しているが、本発明の代替実施形態では、本発明のドングルは、含まれる全てのディスプレイへのＣＥＣメッセージの通信をドングルのマイクロコントローラが制御することができるように、ＨＤＭＩスイッチの主出力部に位置することができる。例えば、図４は、本発明の代替実施形態による、ＨＤＭＩスプリッタ／スイッチを介してＣＥＣライン遮断器の代替実施形態を含むＨＤＭＩ通信を用いてメディア・プレーヤが複数のディスプレイに接続された、図２および図３のシステムと同様のシステムのハイレベルブロック図を示す。
【００２２】
図４のシステム４００は、小さな回路基板／マイクロコントローラ４５０を介して互いに接続された雄型ＨＤＭＩコネクタおよび雌型ＨＤＭＩコネクタからなる、本発明のＣＥＣライン遮断器４４０の一実施形態を含む。図４のＣＥＣライン遮断器４４０では、ＣＥＣラインを除くＨＤＭＩコネクタ中の全てのワイヤは、雄型から雌型に向かって貫通している。ＣＥＣラインは、その両側が遮断され、マイクロコントローラ４５０によって接続されている。本発明の一実施形態では、図４のドングル４４０のマイクロコントローラ４５０は、一部または全てのＣＥＣコマンドを選択的にブロックするように構成されている。図４のＣＥＣライン遮断器４４０は、例えば４つの出力部を備え、各出力部は、それぞれのディスプレイ１３０につながっている。図４の実施形態では、ＣＥＣライン遮断器４４０の構成は、工場で行ってもよいし、あるいは代替実施形態では、ユーザのところでプログラム・コマンドを用いて、または特殊なＣＥＣメッセージを介して行ってもよい。すなわち、本発明の様々な実施形態では、ユーザが一部のＣＥＣメッセージを選択的にブロックしながら、その他のメッセージを通すことができるように、ＣＥＣライン遮断器４４０はプログラマブルである。図４の実施形態では、ＣＥＣライン遮断器４４０は、ＨＤＭＩスプリッタ／スイッチ１２０からＣＥＣメッセージなどのＨＤＭＩ通信を受信し、また、ＣＥＣライン遮断器４４０は、何れかの出力ポートでは一部のＣＥＣメッセージを制御可能にブロックしながら、何れかの出力ポートではその他のＣＥＣメッセージを通すように構成される。
【００２３】
本発明の代替実施形態では、図２、図３および図４に即して上述した本発明の３つの実施形態の機能を、本発明の概念に従って、ＨＤＭＩスプリッタ／スイッチ１２０などのＨＤＭＩスプリッタ／スイッチに、まとめて、または個別に統合することができる。本発明のこのような実施形態では、スプリッタ／スイッチに、特定の出力ポートのＣＥＣラインを「開く」、あるいは一部または全てのＣＥＣコマンドをブロックするように指示する手段を提供する。例えば、本発明のドングルの技術的特徴を含むこのようなＨＤＭＩスプリッタ／スイッチは、ブロードキャスト「待機」メッセージのみをブロックする、または全てのブロードキャスト・メッセージをブロックする、または特定のポートの特定のメッセージ・タイプのみをブロックすることができる。本発明のスイッチは、入力ＣＥＣライン、シリアル・ポートまたはネットワーク・ポートを介して制御することもできる。出力ポートのＣＥＣコマンドを選択的にブロックするこの構成は、装置内の規則およびＨＤＭＩ  ＥＤＩＤ機能を用いたディスプレイ・タイプの能動読取りに基づいて動的に行うこともできる。
【００２４】
図５は、本発明の一実施形態によるＣＥＣライン遮断器のハイレベルブロック図を示す。図５の実施形態では、ＣＥＣライン遮断器は、ドングル２４０を備える。図５のドングル２４０は、例えば、雄型ＨＤＭＩコネクタ５０５と、雌型ＨＤＭＩコネクタ５１０とを含む。図５の実施形態では、雄型ＨＤＭＩコネクタ５０５内の全てのピンは、ＣＥＣラインを除いて、雌型ＨＤＭＩコネクタ５１０と電気通信している。雄型ＨＤＭＩコネクタ５０５のＣＥＣピンは、雌型ＨＤＭＩコネクタ５１０のＣＥＣピンと電気通信していない。上述のように、本発明の一実施形態では、雄型ＨＤＭＩコネクタ５０５のＣＥＣラインおよび雌型ＨＤＭＩコネクタ５１０のＣＥＣラインは両方とも、本発明のＣＥＣライン遮断器の一実施形態がその間に接続されるＨＤＭＩデータのソースとＨＤＭＩデータの受信側とを接続するＨＤＭＩラインにおいてＣＥＣが全くサポートされていないかのように、適当な抵抗器（図示せず）で終端される。
【００２５】
図６は、本発明の代替実施形態によるＣＥＣライン遮断器のハイレベルブロック図を示す。図６に示すように、本発明の一実施形態によるＣＥＣライン遮断器３４０は、雄型ＨＤＭＩコネクタ６０５と、マイクロコントローラ６５０と、雌型ＨＤＭＩコネクタ６１０とを含む。図６の実施形態では、雄型ＨＤＭＩコネクタ６０５内の全てのピンは、ＣＥＣラインを除いて、雌型ＨＤＭＩコネクタ６１０と電気通信している。図６の実施形態では、雄型ＨＤＭＩコネクタ６０５のＣＥＣラインと雌型ＨＤＭＩコネクタ６１０のＣＥＣラインとは、マイクロコントローラ６５０を介して接続されている。
【００２６】
本発明の一実施形態では、図６のＣＥＣライン遮断器３４０のマイクロコントローラ６５０は、一部または全てのＣＥＣコマンドを選択的にブロックするように構成されている。例えば、図６のＣＥＣライン遮断器３４０のマイクロコントローラは、ブロードキャスト「待機」メッセージのみをブロックする、または全てのブロードキャスト・メッセージをブロックする、または特定のメッセージ・タイプのみをブロックするように構成することができる。マイクロコントローラ６５０の構成は、工場で行ってもよいし、あるいは代替実施形態では、ユーザのところでプログラム・コマンドを用いて、または特殊なＣＥＣメッセージを介して行ってもよい。すなわち、本発明の様々な実施形態では、ユーザが一部のＣＥＣメッセージを選択的にブロックしながら、その他のメッセージを通すことができるように、図６のＣＥＣライン遮断器３４０はプログラマブルである。
【００２７】
ＨＤＭＩ  ＣＥＣブロードキャスト・メッセージ（および必要に応じてベンダ特有のメッセージ）を遮断する選択的手段を与える方法および装置の様々な実施形態（これらは例示を目的としたものであり、限定を目的としたものではない）について説明したが、当業者なら、上記の教示に照らして、修正および改変を加えることができることに留意されたい。従って、本発明の範囲および趣旨に含まれる変更を、開示した本発明の具体的な実施形態に加えることができることを理解されたい。上記の説明は本発明の様々な実施形態を対象としているが、本発明の基本的範囲を逸脱することなく、本発明のその他のさらなる実施形態を考案することもできる。
【図１】
2014504085.tif 000003
【図２】
2014504085.tif 000004
【図３】
2014504085.tif 000005
【図４】
2014504085.tif 000006
【図５】
2014504085.tif 000007
【図６】
2014504085.tif 000008
【国際調査報告】
2014504085.tif 000009
2014504085.tif 000010